(57)【特許請求の範囲】
【請求項１】
貫通孔を経由する導水経路を有するコンクリート製構造物であって、該貫通孔は、鉄筋格子を型枠間の鉄筋かぶり量を保持し固定する断面保持部が該鉄筋格子と略直交して配置され、該断面保持部の軸方向に貫通孔を設けたスペーサーを用いて形成され、該導水経路が該スペーサーの貫通孔入り口内部底面と、排水性舗装の不透水舗装面と、同じ高さに配置し、該排水性舗装内に貯留する雨水を排水することを特徴とするコンクリート製構造物。
【発明の詳細な説明】
【０００１】
【発明が属する技術分野】
本発明は、おもに雨天時のハイドロプレーニング現象の緩和、雨天夜間時の認識性の向上、車両走行による騒音の低減を目的に施工される、排水性舗装の舗装内に貯留する雨水を排水可能とする、スペーサーを用いたコンクリート構造物に関するものである。
【０００２】
【従来の技術】
排水性舗装とは、厚さ４０mm〜５０mmの表層を空隙率２０％程度の多孔質なアスファルト混合物を用いて排水性舗装とし、その下層に不透水性舗装を設けた舗装であるが、通常のコンクリート製側溝では、排水性舗装に浸透した雨水が側壁に堰き止められるため、不透水舗装面の位置に貫通孔を設ける必要がある。
【０００３】
従来の方法で、道路用鉄筋コンクリート側溝のような落蓋式Ｕ字型側溝を製造するには、図１５(a)に示すように天地が逆となる型枠７０の片方の側板７１に貫通孔用入子７２をボルトで螺着し、規定の鉄筋かぶり量を保持するスペーサーが装着された鉄筋格子を挿入後、コンクリートを注入する、そして図１５(b)に示すように脱型時に側板７１からボルトを取り外し、型枠７０から貫通孔用入子７２を装着したまま落蓋式Ｕ字型側溝１０を脱型後、貫通孔用入子７２を図１５(c)に示すように打ち抜かなければならない。
【０００４】
または、特開平１０−３１５２１５号公報では型枠の台枠と側板の係合にローラやアームを用いて、貫通孔用入子を側板より外す事なく脱型する技術が開示されている。
【０００５】
【発明が解決しようとする課題】
しかし、落蓋式Ｕ字型側溝１０の側壁１３厚は４０mm〜６０mmであり、貫通孔９の中心は天端面１１より３０mm〜４０mmの位置となるので、貫通孔用入子７２を打ち抜くとき側壁１３が破損しやすいため、側壁１３を厚くしたり、図１３に示す断面箱型の暗渠型側溝などで対応しているが重量が嵩んだり、製造が複雑になっている、また特開平１０−３１５２１５号公報の技術では型枠が複雑となり型枠の耐久性や作業性に問題がある。
【０００６】
そこで、本発明では、貫通孔を設けたスペーサーを用いることで、従来の無孔コンクリート製構造物と同等の作業性やコストで製造できる、主に排水性舗装用の貫通孔を有するコンクリート製構造物を提供する事にある。
【０００７】
【課題を解決するための手段】
本発明のスペーサーは、コンクリート製構造物の補強部材として用いられる、縦鉄筋と横鉄筋からなる鉄筋格子を、規定の鉄筋かぶり量を保持し、型枠内に固定するスペーサーにおいて、型枠の鉄筋かぶり量を保持し固定する断面保持部の軸方向に、貫通孔を設けたことである。
【０００８】
また、前記記載のスペーサーを用いて形成されるコンクリート製構造物で、前記スペーサーの貫通孔を経由する導水経路で外部の雨水を排水を有することを特徴とするものである。
【０００９】
【実施例】
本発明のスペーサーを用いたコンクリート構造物の、実施例を図面に基づき説明すると、図１〜図８はスペーサーの実施例であり図９〜図１２、図１４はスペーサーを用いたコンクリート製構造物の実施例である。
【００１０】
図１は本発明のスペーサーの一例を示す斜視図であり図２は該スペーサーの正面図と側面図である、スペーサー１は格子鉄筋の縦鉄筋Ｓ１と横鉄筋Ｓ２の接合部付近に装着された状態で、コンクリート構造物の側壁１３上部の端面１２近くに配置されている。
【００１１】
天端面保持部２が縦鉄筋Ｓ１の突き出し部に嵌入され、縦鉄筋Ｓ１と天端面１１を規定の天端鉄筋かぶり量Ｋ１を確保し、前記天端面保持部２の下部側面には構造物延長方向に水平に、端面保持部３が接続しておりその下面に横鉄筋挟持部５が、２箇所配置され横鉄筋Ｓ２を挟入しており、端面保持部３が横鉄筋Ｓ２と端面１２を規定の端面鉄筋かぶり量Ｋ２を確保し、前記天端面保持部２の下部には、垂直支柱７が接続し、該垂直支柱７の先端には横断方向に、貫通孔９を設けた断面保持部４が接続し、断面保持部４の側面には縦鉄筋挟持部６が配置され、縦鉄筋Ｓ１を挟入し格子鉄筋Ｓ１,S２と側壁１３間の側壁鉄筋かぶり量を確保すると共に、前記貫通孔９の内部底面が不透水舗装面Ｈ２と同じ高さに配置されている。
【００１２】
図３(a)の実施例では、端面保持部３上面に横鉄筋挟持部５が２箇所配置され、前記端面保持部３は下方に配置された、貫通孔９を設けた断面保持部４と垂直支柱７で接続し、前記断面保持部４の側面には縦鉄筋挟持部６が配置されている、天端面保持部に別体のキャップスペーサー１００を用いることで、構造を簡略化している。
【００１３】
図３(b)の実施例では、横鉄筋挟持部５下方に配置された垂直支柱７で、貫通孔９を設けた断面保持部４が接続され、前記断面保持部４の側面に縦鉄筋挟持部６が上下に２箇所配置されている、天端面保持部と側端面保持部には別体のキャップスペーサー１００を用いることで、構造を簡略化すると共に前記両保持部が不用となる端面部以外での使用に有効である。
【００１４】
図４(a)の実施例では、横鉄筋挟持部５下部と貫通孔９を設けた断面保持部４上部が垂直支柱７で接続し、前記断面保持部４側面と縦鉄筋挟持部６が水平支柱８で接続され、各保持部を１箇所とし前記各実施例より簡略化している、図４(b)の実施例では、水平支柱８両端に縦鉄筋挟持部６が配置され、前記水平支柱８の中央下部に横鉄筋挟持部５が接続し、該横鉄筋挟持部５下部に垂直支柱７が接続し、貫通孔９を設けた断面保持部４の上部に接続され、スペーサー１が縦鉄筋Ｓ１の左右どちら側にも挟持出来るようになっている。
【００１５】
図５は貫通孔９を設けた断面保持部４の貫通孔９の断面形状を示す実施例で、図５(a)では貫通孔９を縦長とし、厚さの違う排水性舗装部に対応出来るようにしている、図５(b)では貫通孔９を横長とし、該貫通孔９の断面積を広げ多くの雨水を導水出来るようにすると共に、スペーサーの装着数を減らす事が出来る。
【００１６】
図６は貫通孔９を設けた断面保持部４側面を示す実施例で断面保持部４のみを示す図である、図６（ａ）では断面保持部４の外周を水平とし、貫通孔９を舗装部側よりコンクリート構造物内部側に低く傾斜させ、導水した雨水を速やかに排水出来るようにしている、図６（ｂ）では断面保持部４が内部側に傾斜し、該断面保持部４底面に水平支柱８が配置され、スペーサー１を水平に配置可能とし、コンクリート構造物内部の障害物、例えれば図１４の街渠桝６０上部のグレーチング枠を回避している、図６（ｃ）では断面保持部４底面は水平に、側面と上面は舗装部側に漏斗状に広がっており、排水舗装部の骨材による貫通孔９の目詰リを防止している。
【００１７】
図７は貫通孔９を設けた断面保持部４の、長さ調整方法を示す実施例で図７(a)では断面保持部４のみを表示しており、該断面保持部４は中央部を除く両端側が、蛇腹形１０１に形成され伸縮可能となっており、多種の断面厚に対応できるほか、型枠との加圧密着が可能となりコンクリート注入時に、貫通孔９内へのペースト漏れを防止できる、図７(b)では断面保持部４と鉄筋挟持部１０２が別体に形成され、該鉄筋挟持部１０２は上部に横鉄筋挟持部５と側面に縦鉄筋挟持部６を配置した、円周の約１/４を欠く管状帯で形成され、前記断面保持部４の中央部に一段低く配置された外周溝部１０３を挟持し、一体のスペーサーとしている。
【００１８】
図８は貫通孔９を設けた断面保持部４端面を示す実施例で、端面のみを示す図であり、図８(a)では端面が外周より内面に向い鋭角に傾斜し、先端部が薄くひだ状に形成された傾斜断面１０４で形成され、断面保持部４延長をコンクリート構造物の断面延長より数ｍｍ長くすることで、型組時にひだ部が潰れ断面保持部４と型枠が密着し、コンクリート注入時に貫通孔９内へのペースト漏れを防止できる、図８(b)では断面保持部４端面の内側に段差１０５を有し、合成繊維網状管やスパイラル管などの透水パイプが挿入可能に形成され、該透水パイプを排水性舗装部内に配置することで、舗装部内の排水が速やかに行われると共に、排水性舗装部の目詰まり防止に対応できる。
【００１９】
本発明のスペーサーを用いた排水舗装に対応するコンクリート構造物には、図９、図１０に示す側溝蓋２０を側溝１０に嵌合した時、側溝天端面１１と側溝蓋天端面２１が同じ高さになる落蓋式Ｕ字型側溝１０、図１１に示す底部が開放され両側壁３２と天端部の大梁３１で形成された門型の可変勾配型側溝３０、図１２に示す従来技術で、側溝４０と側溝蓋側面２３の接合面に空間が空く側溝の一例である騒音防止型側溝４０、図１３に示す両側壁５２、天端面５１、底面５５で閉塞された断面箱型の暗渠型側溝５０、図１４に示すグレーチング蓋６１を有する街渠桝６０などがある。
【００２０】
図９の落蓋式Ｕ字型側溝１０の実施例では、側溝１０の舗装部側側壁１３上部に、スペーサー１の貫通孔９が、不透水性舗装面の高さに合わせ複数配置されている、前記側溝１０に嵌合し連接する側溝蓋２０の、一方の側面２３には側溝１０の貫通孔９の高さに合わせ、延長方向に側壁溝２５が設けられ、端面２２の両方又は一方が天端面２１より内側に斜めに傾斜して形成している、雨水の導水径路は前記側溝１０に配置されたスペーサー１の貫通孔９から、前記側溝蓋２０の側壁溝２５を通り連接する端面２２間下部の空間より、側溝蓋掛り部１４に流れた後、側溝内に排水される。
【００２１】
図１０の落蓋式Ｕ字型側溝１０の実施例では、前記図９記載の側溝１０の蓋掛り部１４に溝１５が横断方向に数箇所配置されている、嵌合する側溝蓋２０の一方の側面２６は、前記側溝２０に配置されたスペーサー１の貫通孔９上部の高さから内側に傾斜し形成されている、雨水の導水径路は前記側溝１０に配置された貫通孔９より、蓋掛り部１４と前記側溝蓋２０の側壁２６の空間を通り、前記蓋掛り部１４の溝１５より側構内に排水される。
【００２２】
図１１の可変勾配型側溝３０の実施例では、従来品の側溝蓋２０には端面２２の両面が天端面２１より内側に斜めに傾斜して、該側溝蓋２０を隣接したとき端面２２下部に空間が空く製品がある、側溝側壁３２の前記端面２２下部の空間位置に貫通孔９を配置している、雨水の導水径路は貫通孔９より蓋掛り部３３を通り側溝内に流れる、貫通孔９を前記空間位置に配置するには、水平支柱８の長さを調整したスペーサーを使用する方法と、前記側壁３２内の縦鉄筋Ｓ１の間隔を調整した鉄筋格子を使用する方法があるが、間隔を調整した鉄筋格子を使用する際は、構造計算を行ない規定の荷重強度を確保しなければ成らない。
【００２３】
図１２の騒音防止型側溝４０の実施例では、舗装部側壁４２に側溝蓋２０の延長ごとに、凹円弧面で形成された蓋掛り部４３を有する側溝４０と、底面２７の一方が中央を平坦面で形成し、前後面を前記蓋掛り部４３の凹円弧面と同円の凸円弧面で形成され、前記平坦面上部に側面切り欠け部２８を有する側溝蓋２０で構成され、前記側面切り欠け部２８に対する側壁４２にスペーサー１を配置し形成されている、雨水の導水径路はスペーサー１の貫通孔９より蓋掛り部４３に流れ側溝内の排水される、同様に従来技術で側溝壁並びに蓋掛り部と、側溝蓋接合面に空間のある側溝に、該空間部に本発明のスペーサー１を配置することで排水性舗装用側溝となる。
【００２４】
図１３の暗渠型側溝５０の参考例では、天端面５１厚が排水性舗装厚より厚く、スペーサー１は側壁外側の一段窪んだ透水部材嵌合部５３下部の、排水性舗装部より低い位置に配置し、前記嵌合部５３に透水部材５４が嵌合し形成されている、雨水の導水径路は前記透水部材５４から貫通孔９を通り側溝内に排水される。
【００２５】
図１４の街渠桝６０の実施例では、上部に開閉式グレーチング蓋６１を装備し形成されている、前記グレーチング蓋６１の受枠６２の高さが、排水舗装厚と同程度の５０mm〜６０mmありスペーサー１を水平に設置できないため、図６(b)の水平支柱８を装備するスペーサー１を用いている、雨水の導水径路は貫通孔９を通り街渠桝６０内に排水される。
【００２６】
また本発明の貫通孔を設けたスペーサーを、排水性舗装に対応する位置より低い位置に配置する事で、一般舗装での路盤内の排水対策や透水性舗装の排水対策にも採用でき、前記実施例のコンクリート製構造物の他にも、上蓋式Ｕ字型側溝、Ｌ型擁壁、柵板など、いずれもスペーサーで鉄筋を型枠間に固定し、製造される鉄筋コンクリート製構造物に採用される。
【００２７】
【発明の効果】
以上説明したように、本発明の貫通孔を設けたスペーサーを使用したコンクリート製構造物は、製造時に従来の無孔製品と同様の作業工程で製造でき生産性に優れている、また型枠脱型時の製品破損も無いため、肉厚補強したりする必要がなく、無孔製品と同程度の単価で製品を提供できる。
【００２８】
また、従来の無孔製品用型枠を使用して、排水の導水径路を貫通孔を設けたスペーサーだけ、またはスペーサーと導水径路確保のため小改造した型枠で対応できるため、専用型枠を必要とせず新たな設備投資を必要としないなど、製造と販売の両面に優れている。
【図面の簡単な説明】
【図１】請求項１に係るコンクリート構造物に用いられるスペーサーの斜視図
【図２】図１のコンクリート構造物に用いられるスペーサーの正面図と側面図
【図３】請求項１に係るコンクリート構造物に用いられるキャップスペーサーを併用し使用するスペーサーの斜視図
【図４】請求項１に係るコンクリート構造物に用いられるスペーサーの鉄筋挟持部を説明する斜視図
【図５】請求項１に係るコンクリート構造物に用いられるスペーサーの貫通孔の断面形状を説明する斜視図
【図６】請求項１に係るコンクリート構造物に用いられるスペーサーの断面保持部の縦断形状を説明する斜視図
【図７】請求項１に係るコンクリート構造物に用いられるスペーサーの断面保持部の長さ調整を説明する斜視図
【図８】請求項１に係るコンクリート構造物に用いられるスペーサーの貫通孔の端面形状を説明する斜視図
【図９】請求項１に係る落蓋式Ｕ字型側溝の斜視図
【図１０】請求項１に係る落蓋式Ｕ字型側溝の斜視図
【図１１】請求項１に係る可変勾配型側溝の斜視図
【図１２】請求項１に係る騒音防止型側溝の斜視図
【図１３】請求項１に係る暗渠型側溝の斜視図
【図１４】請求項１に係る街渠桝の斜視図
【図１５】従来技術で落蓋式Ｕ字型側溝を製造した場合の断面による説明図
【符号の説明】
１  スペーサー
２  天端面保持部
３  側端面保持部
４  貫通孔を設けた断面保持部
５  横鉄筋挟持部
６  縦鉄筋挟持部
７  垂直支柱
８  水平支柱
９  貫通孔
１０  落蓋式Ｕ字型側溝
２０  側溝蓋
３０  可変勾配型側溝
４０  騒音防止型側溝
５０  暗渠型側溝
６０  街渠桝
７０  型枠
１００  キャップスペーサー
Ｈ１  排水性舗装面
Ｈ２  不透水性舗装面
Ｋ１  天端面鉄筋かぶり量
Ｋ２  側端面鉄筋かぶり量
Ｋ３  側壁鉄筋かぶり量
Ｓ１  縦鉄筋
Ｓ２  横鉄筋
【図１】
0004448898.tif 000002
【図２】
0004448898.tif 000003
【図３】
0004448898.tif 000004
【図４】
0004448898.tif 000005
【図５】
0004448898.tif 000006
【図６】
0004448898.tif 000007
【図７】
0004448898.tif 000008
【図８】
0004448898.tif 000009
【図９】
0004448898.tif 000010
【図１０】
0004448898.tif 000011
【図１１】
0004448898.tif 000012
【図１２】
0004448898.tif 000013
【図１３】
0004448898.tif 000014
【図１４】
0004448898.tif 000015
【図１５】
0004448898.tif 000016